(57)【特許請求の範囲】
【請求項１】
外側溝形継手の一端内に内側溝形継手の一端が摺動可能に挿入嵌合され、外側溝形継手と内側溝形継手との相対位置を所定の位置に設定する位置決め手段が設けられている軒樋伸縮継手において、位置決め手段が、外側溝形継手及び内側溝形継手の両側壁上端に設けられた切欠部内にアームの両端付近が挿入係合され、アームの両端付近の先端に屈曲部が延設され、屈曲部の先端が外側溝形継手の外面に凹設された係合凹部に挿入係合されて構成されていることを特徴とする軒樋伸縮継手。
【発明の詳細な説明】
【０００１】
【発明の属する技術分野】
本発明は、軒樋伸縮継手に関するものである。
【０００２】
【従来の技術】
従来、例えば、実開平４−１２９２３１号公報に記載されているように、外側溝形継手の一端内に内側溝形継手の一端が摺動可能に挿入嵌合され、外側溝形継手と内側溝形継手との相対位置を所定の位置に設定する位置決め手段が設けられている軒樋伸縮継手が知られている。
【０００３】
実開平４−１２９２３１号公報に記載されている軒樋伸縮継手の位置決め手段としては、外側溝形継手と内側溝形継手との一方に形成され、貫通孔を備えた係止片と、係止片の貫通孔に挿入された係止ピンと、外側溝形継手と内側溝形継手との他方に形成され、係止ピンと係合している筒状ボスとで構成されているものである。
【０００４】
【発明が解決しようとする課題】
しかしながら、叙上の軒樋伸縮継手においては、軒樋伸縮継手が設置される場所によっては、軒先や軒先に設けられた水切り板が邪魔になり、係止ピンを取り外ずして外側溝形継手と内側溝形継手との相対位置の位置決めを解除することができない欠点があった。
【０００５】
本発明は、このような従来の軒樋伸縮継手における問題点に着目してなされたものであり、その目的とするところは、従来の軒樋伸縮継手における問題点を解決し、軒樋伸縮継手の設置場所によって外側溝形継手と内側溝形継手との相対位置の位置決めを解除することができない欠点のない軒樋伸縮継手を提供することにある。
【０００６】
【課題を解決するための手段】
上記目的を達成するために、本発明軒樋伸縮継手は、
外側溝形継手の一端内に内側溝形継手の一端が摺動可能に挿入嵌合され、外側溝形継手と内側溝形継手との相対位置を所定の位置に設定する位置決め手段が設けられている軒樋伸縮継手において、位置決め手段が、外側溝形継手及び内側溝形継手の両側壁上端に設けられた切欠部内にアームの両端付近が挿入係合され、アームの両端付近の先端に屈曲部が延設され、屈曲部の先端が外側溝形継手の外面に凹設された係合凹部に挿入係合されて構成されていることを特徴とするものである。
【０００７】
本発明において、外側溝形継手及び内側溝形継手の材質としては、従来から外側溝形継手及び内側溝形継手の材質として使用されているものがそのまま使用できるものであって特に限定されないが、例えば、硬質塩化ビニル樹脂、ポリカーボネート、ＦＲＰ等の合成樹脂や銅、防錆処理を施した鋼等が使用できる。
【０００８】
本発明において、アームの材質としては、ある程度の強度、剛性、弾性を備えたものであればよいものであって、特に限定されないが、例えば、硬質塩化ビニル樹脂、ポリカーボネート、ＦＲＰ等の合成樹脂や銅、真鍮、防錆処理を施した鋼、ステンレス鋼等が使用できる。
【０００９】
〔作用〕
本発明軒樋伸縮継手においては、位置決め手段が、外側溝形継手及び内側溝形継手の両側壁上端に設けられた切欠部内にアームの両端付近が挿入係合され、アームの両端付近の先端に屈曲部が延設され、屈曲部の先端が外側溝形継手の外面に凹設された係合凹部に挿入係合されて構成されているので、外側溝形継手と内側溝形継手との相対位置を所定の位置に設定することができる。
【００１０】
本発明軒樋伸縮継手を軒先に設置し、本発明軒樋伸縮継手の外側溝形継手と内側溝形継手との夫々に軒樋を接合した後は、アームを弾性変形させることによりアームの屈曲部の先端を外側溝形継手の外面に凹設された係合凹部から外すことによりアームを取り外すことができる。
【００１１】
【発明の実施の形態】
次に、本発明の実施の形態を図面を参照しながら説明する。
図１は本発明軒樋伸縮継手の一例を示す斜視図、図２は図１に示す本発明軒樋伸縮継手の一部切欠正面図、図３は図２のＩＩ−ＩＩ線における断面図である。
【００１２】
図１において、１は本発明軒樋伸縮継手の外側溝形継手、２は本発明軒樋伸縮継手の内側溝形継手であり、外側溝形継手１の一端内に内側溝形継手２が摺動可能に挿入嵌合されている。
【００１３】
３は位置決め手段であるステンレス鋼製アームであり、アーム３の中央部は湾曲され、その両端部付近は外側溝形継手１及び内側溝形継手２の両側壁上端に凹設され重ね合わされた切欠部１１、２１に挿入係合されている。アーム３の両端部には屈曲部３１が延設され、屈曲部３１の先端３２は外側溝形継手１の切欠部１１付近の外面に凹設された係合凹部１２に挿入係合されている。
【００１４】
尚、１３は外側溝形継手１の他端の両側壁上端に垂設された係止爪であり、係止爪１３により外側溝形継手１の他端に挿入された図示しない軒樋の耳部を係止できるようになっている。２２は内側溝形継手２の他端の両側壁上端に垂設された係止爪であり、係止爪２２により内側溝形継手２の他端に挿入された図示しない軒樋の耳部を係止できるようになっている。
【００１５】
図１〜３に示す本発明軒樋伸縮継手においては、アーム３の両端部付近は外側溝形継手１及び内側溝形継手２の両側壁上端に凹設された切欠部１１、２１に挿入係合されているので、外側溝形継手１及び内側溝形継手２の相対位置を所定の位置に設定され、位置決めされている。
【００１６】
図１〜３に示す本発明軒樋伸縮継手の使用に際しては、本発明軒樋伸縮継手を軒先に設置し、本発明軒樋伸縮継手の外側溝形継手１及び内側溝形継手２の他端に図示しない軒樋を接合した後、図４、５に示すように、アーム３の中央湾曲部を矢印方向に持ち上げることによりアーム３が若干弾性変形し、アーム３の屈曲部３１の先端３２が外側溝形継手１の外面に凹設された係合凹部１２から外れるので、アーム３を本発明軒樋伸縮継手から取り外すことができる。
【００１７】
本発明軒樋伸縮継手からアーム３が取り外された場合には、本発明軒樋収縮継手に接合された軒樋の温度変化による収縮膨張により外側溝形継手１に対して内側溝形継手２が摺動し、軒樋の温度変化による収縮膨張に対応することかできる。
【００１８】
以上、本発明の実施の形態を図により説明したが、本発明の具体的な構成は、この実施の形態に限定されるものではなく、本発明の要旨を逸脱しない範囲の設計変更等があっても本発明に含まれる。
【００１９】
例えば、アーム３は図示の実施の形態のように必ずしも中央部が湾曲された形状でなくてもよく、直線状でもよい。しかし、図示の実施の形態のように中央部が湾曲された形状であれば、アーム３を回動して取り外す際に都合がよい。
【００２０】
【発明の効果】
本発明軒樋伸縮継手においては、位置決め手段が、外側溝形継手及び内側溝形継手の両側壁上端に設けられた切欠部内にアームの両端付近が挿入係合され、アームの両端付近の先端に屈曲部が延設され、屈曲部の先端が外側溝形継手の外面に凹設された係合凹部に挿入係合されて構成されているので、外側溝形継手と内側溝形継手との相対位置を所定の位置に設定することができる。
【００２１】
本発明軒樋伸縮継手を軒先に設置し、本発明軒樋伸縮継手の外側溝形継手と内側溝形継手との夫々に軒樋を接合した後は、アームを弾性変形させることによりアームの屈曲部の先端を外側溝形継手の外面に凹設された係合凹部から外すことによりアームを取り外すことができ、アームの取り外しの際は、軒樋伸縮継手の設置場所をどのように設定しても軒先や水切り板が邪魔になる恐れはない。
【図面の簡単な説明】
【図１】本発明軒樋伸縮継手の一例を示す斜視図。
【図２】図１に示す本発明伸縮継手の一部切欠正面図。
【図３】図２のＩＩＩ−ＩＩＩ線における断面図。
【図４】図１に示す本発明伸縮継手のアームを取り外す態様を示す正面図。
【図５】図４のＶ−Ｖ線における断面図。
【符号の説明】
１        外側溝形継手
２        内側溝形継手
１１、２１  切欠部
１２      係合凹部
１３、２２  係止爪
３        アーム
３１      屈曲部
３２      屈曲部の先端
【図１】
0003779024.tif 000002
【図２】
0003779024.tif 000003
【図３】
0003779024.tif 000004
【図４】
0003779024.tif 000005
【図５】
0003779024.tif 000006